(57)【要約】  【課題】  改ざん防止用シールや接着剤等を用いることなく、蓋部或いは底部を箱本体に容易かつ強固に取り付ける一方で、蓋部或いは底部を開封した際に開封跡を明確に残すことができる改ざん防止用箱を提供する  【解決手段】  正面板１、背面板２、第１側面板３、第２側面板４、蓋板６、第１或いは第２側面板３，４に連接される第１及び第２上部サイドフラップ３ａ，４ａ、および蓋板６に連接される差込片７を有する箱Ａにおいて、差込片７の左右両側に連接され、差込片７とともに箱Ａ内に差し込まれることにより第１或いは第２上部サイドフラップ３ａ，４ａと係合して、差込片７が箱Ａ内から抜け出することを阻止する逆止片８，９を備える。  【選択図】  図３
2005231706.tif 000002
【特許請求の範囲】
【請求項１】
正面板、背面板、第１側面板、第２側面板、蓋板、前記第１或いは前記第２側面板に連接される第１及び第２上部サイドフラップ、および前記蓋板に連接される差込片を有する箱において、
前記差込片の左右両側に連接され、前記差込片とともに前記箱内に差し込まれることにより前記第１或いは前記第２上部サイドフラップと係合して、前記差込片が前記箱内から抜け出することを阻止する逆止片を備えることを特徴とする改ざん防止用箱。
【請求項２】
前記第１上部サイドフラップと前記第１側面板、及び前記第２上部サイドフラップと前記第２側面板との折罫の少なくとも一部に切線が設けられることを特徴とする請求項１に記載の改ざん防止用箱。
【請求項３】
前記第１或いは前記第２側面板に連接される第１及び第２下部サイドフラップと、
底板と、前記底板に連接される差込片と、
前記差込片の左右両側に連接され、前記差込片とともに前記箱内に差し込まれることにより前記第１或いは前記第２下部サイドフラップと係合して、前記差込片が前記箱内から抜け出することを阻止する逆止片を備えることを特徴とする請求項１又は請求項２に記載の改ざん防止用箱。
【請求項４】
前記第１下部サイドフラップと前記第１側面板、及び前記第２下部サイドフラップと前記第２側面板との折罫の少なくとも一部に切線が設けられることを特徴とする請求項３に記載の改ざん防止用箱。
【請求項５】
前記正面板或いは前記背面板に前記箱を吊り下げる吊下片を備えることを特徴とする請求項１から請求項４にうち何れか一項に記載の改ざん防止用箱。
【請求項６】
前記吊下片に連接して前記吊下片を補強するとともに、前記箱内に差し込まれて前記差込片と対向する吊下補強片を備えることを特徴とする請求項１から請求項５にうち何れか一項に記載の改ざん防止用箱。
【請求項７】
前記箱は、紙により形成されることを特徴とする請求項１から請求項６にうち何れか一項に記載の改ざん防止用箱。
【請求項８】
前記箱は、ポリエチレン、ポリプロピレン、ポリ塩化ビニル、ポリスチレン、ペット樹脂のうち何れか一つ、或いはこれらの複合素材から形成されることを特徴とする請求項１から請求項６にうち何れか一項に記載の改ざん防止用箱。
【発明の詳細な説明】
【技術分野】
【０００１】
本発明は、食品や化粧品等の物品を収納するための箱に関するものであり、さらに詳しくは、開封済か未開封かを判断することができる機能が付いた箱に関する。
【背景技術】
【０００２】
従来から、食品や化粧品等の物品を収容する箱には、開封済か未開封かを判断するために、或いは不正に内容物が抜き取られることを防止するために、箱の蓋部或いは底部に改ざん防止用シールを貼ったり、接着剤等で接着したりする等の手段が採られていた。
しかし、改ざん防止用シールや接着剤等を用いる場合には、改ざん防止用シール或いは接着剤の材料費、及び改ざん防止用シールの貼り付け或いは接着剤の塗布のための設備費や加工費が別途必要になってしまう。
このため、特開平１１−１０５８５２号公報に示すように、強固に蓋部或いは底部を箱本体に取り付けることにより、販売或いは展示中に内容物が抜き取られることを防止する技術が提案されている。
【特許文献１】特開平１１−１０５８５２号公報
【発明の開示】
【発明が解決しようとする課題】
【０００３】
しかしながら、上述した技術では、蓋部或いは底部を箱本体に強固に取り付けているため、蓋を容易に開封することができず、別途、開封用のフラップを設ける等の措置を採る必要があった。
本発明は、上述した事情に鑑みてなされたもので、改ざん防止用シールや接着剤等を用いることなく、蓋部或いは底部を箱本体に容易かつ強固に取り付ける一方で、蓋部或いは底部を開封した際に開封跡を明確に残すことができる改ざん防止用箱を提供することを目的とする。
【課題を解決するための手段】
【０００４】
本発明に係る改ざん防止用箱では、上記課題を解決するために以下の手段を採用した。
本発明は、正面板、背面板、第１側面板、第２側面板、蓋板、第１或いは第２側面板に連接される第１及び第２上部サイドフラップ、および蓋板に連接される差込片を有する箱において、差込片の左右両側に連接され、差込片とともに箱内に差し込まれることにより第１或いは第２上部サイドフラップと係合して、差込片が箱内から抜け出することを阻止する逆止片を備えるようにした。
また、第１上部サイドフラップと第１側面板、及び第２上部サイドフラップと第２側面板との折罫の少なくとも一部に切線が設けられるようにした。
【０００５】
また、第１或いは第２側面板に連接される第１及び第２下部サイドフラップと、底板と、底板に連接される差込片と、差込片の左右両側に連接され、差込片とともに箱内に差し込まれることにより第１或いは第２下部サイドフラップと係合して、差込片が箱内から抜け出することを阻止する逆止片を備えるようにした。
また、第１下部サイドフラップと第１側面板、及び第２下部サイドフラップと第２側面板との折罫の少なくとも一部に切線が設けられるようにした。
【０００６】
また、正面板或いは背面板に箱を吊り下げる吊下片を備えるようにした。
また、吊下片に連接して吊下片を補強するとともに、箱内に差し込まれて差込片と対向する吊下補強片を備えるようにした。
【０００７】
また、箱が紙により形成されるようにした。
また、箱がポリエチレン、ポリプロピレン、ポリ塩化ビニル、ポリスチレン、ペット樹脂のうち何れか一つ、或いはこれらの複合素材から形成されるようにした。
【発明の効果】
【０００８】
本発明によれば以下の効果を得ることができる。
本発明は、正面板、背面板、第１側面板、第２側面板、蓋板、第１或いは第２側面板に連接される第１及び第２上部サイドフラップ、および蓋板に連接される差込片を有する箱において、差込片の左右両側に連接され、差込片とともに箱内に差し込まれることにより第１及び第２上部サイドフラップと係合して、差込片が箱内から抜け出することを阻止する逆止片を備えるようにした。これにより、蓋板に連接される差込片が箱内に差し込まれると、差込片に連接される逆止片が第１及び第２上部サイドフラップと係合する。したがって、差込片が箱内から抜け出することを阻止できるので、蓋板が開かず、不正に内容物が抜き取られることを防止することができる。
また、第１上部サイドフラップと第１側面板、及び第２上部サイドフラップと第２側面板との折罫の少なくとも一部に切線が設けられるようにしたので、無理に蓋板をこじ開けると、第１上部サイドフラップ或いは第２上部サイドフラップが切線に沿ってひきちぎれるので、明確な開封跡を残すことができる。
【０００９】
また、第１或いは第２側面板に連接される第１及び第２下部サイドフラップと、底板と、底板に連接される差込片と、差込片の左右両側に連接され、差込片とともに箱内に差し込まれることにより第１及び第２下部サイドフラップと係合して、差込片が箱内から抜け出することを阻止する逆止片を備えるようにした。これにより、底板側においても、差込片が箱内から抜け出することを阻止できるので、底板が開かず、不正に内容物が抜き取られることを防止することができる。
また、第１下部サイドフラップと第１側面板、及び第２下部サイドフラップと第２側面板との折罫の少なくとも一部に切線が設けられるようにしたので、無理に底板をこじ開けると、第１下部サイドフラップ或いは第２下部サイドフラップが切線に沿ってひきちぎれるので、明確な開封跡を残すことができる。
【００１０】
また、正面板或いは背面板に箱を吊り下げる吊下片を備えるようにしたので、展示が容易となる。
また、吊下片に連接して吊下片を補強するとともに、箱内に差し込まれて差込片と対向する吊下補強片を備えるようにしたので、吊下片が補強されて、吊下片の破損を回避できる。また、箱内に差し込まれて差込片と対向することにより、差込片を箱内の内側に押し込み、更に差込片を故意に抜き出すことが困難となる。これにより、不正に蓋板或いは底板を開かて内容物が抜き取られることを防止することができる。
【００１１】
また、箱が紙により形成されるようにしたので、安価かつ軽量な箱を製造することができる。
また、箱がポリエチレン、ポリプロピレン、ポリ塩化ビニル、ポリスチレン、ペット樹脂のうち何れか一つ、或いはこれらの複合素材から形成されるようにしたので、安価かつ軽量で、しかも透明或いは半透明な箱を製造することができる。
【発明を実施するための最良の形態】
【００１２】
以下、本発明の改ざん防止用箱の第１実施形態について図を参照して説明する。
図１は本発明にかかる箱の第１の実施形態を示す斜視図であり、図２は箱の底面図、図３は図１の展開図である。
図１に示すように、箱（改ざん防止用箱）Ａは、正面板１、背面板２、第１側面板３、第２側面板４、蓋板６、第１底板１１、第２底板１２を主要部として備え、更に、糊付片５、差込片７、第１逆止片８、第２逆止片９、吊下補強板１０、第１上部サイドフラップ３ａ、第２上部サイドフラップ４ａ、第１下部サイドフラップ３ｂ、第２下部サイドフラップ４ｂ、糊付片１３、糊付片１４を備える。
具体的には、図３に示すように、第１側面板３、正面板１、第２側面板４、背面板２、糊付片５は、折罫３０，３１，３２，３３（図３においては山折り）を介して連接される。第１側面板３、正面板１、第２側面板４の上縁にはそれぞれ折罫３４，３５，３６（同、山折り）を介して第１上部サイドフラップ３ａ、蓋板６、第２上部サイドフラップ４ａが連接する。なお、折罫３４，３６の少なくとも一部には、切線３４ａ，３６ａが形成される。
更に、蓋板６は、折罫３７（同、山折り）を介して差込片７が連接され、更に差込片７の左右両側には、折罫３８，３９（同、山折り）を介して第１逆止片８、第２逆止片９が連接される。
また、背面板２の上側は吊下片２ａとして形成されるとともに、略丸穴形の吊下部２ｂが形成される。更に、背面板２の上部の吊下片２ａには、折罫４０（同、山折り）を介して吊下補強板１０が連接される。なお、吊下補強板１０にも吊下部２ｂと重なるように吊下部１０ｂが形成される。吊下補強板１０を設けることにより、吊下片２ａが補強されて、箱Ａを吊り下げた際の吊下片２ａの破損を回避できる。
そして、第１側面板３、正面板１、第２側面板４、背面板２の下縁にはそれぞれ折罫４１，４２，４３，４４（同、山折り）を介して第１下部サイドフラップ３ｂ、第１底板１１、第２下部サイドフラップ４ｂ、第２底板１２が連接する。更に、第１底板１１及び第２底板１２には、それぞれ第１底板係止部１１ａ、第２底板係止部１２ａが形成され、また、それぞれ折罫４５，４６（図３においては谷折り）を介して糊付片１３、糊付片１４が連接する。
【００１３】
なお、箱Ａの材質としては、０．３〜０．４ｍｍ程度厚みの紙や、０．２５〜０．４ｍｍ程度の厚みのプラスチックシート、例えばポリエチレン、ポリプロピレン、ポリ塩化ビニル、ポリスチレン、ペット樹脂、及びこれらの複合材料により形成されることが好ましい。
【００１４】
次に、箱Ａの組立について説明する。
まず、第１側面板３、正面板１、第２側面板４、背面板２、糊付片５をそれぞれ折罫３０，３１，３２，３３で山折りした後に、第１側面板３の裏面と糊付片５とを接着剤等により接着する。
次に、第１下部サイドフラップ３ｂと第１底板１１とをそれぞれ折罫４１，４２で山折りした後に、第１底板１１に連接される糊付片１３の裏面と第１下部サイドフラップ３ｂとを接着剤等により接着し、第１側面板３と正面板１とが略直交するように組み立てる。同様に、第２下部サイドフラップ４ｂと第２底板１２とをそれぞれ折罫４３，４４で山折りした後に、第２底板１２に連接される糊付片１４の裏面と第２下部サイドフラップ４ｂとを接着剤等により接着し、第２側面板４と背面板２とが略直交するように組み立てる。
そして、その後に、折罫４５，４６を谷折りして、図２に示すように、第１底板１１の第１底板係止部１１ａを第２底板１２及び第２下部サイドフラップ４ｂの内側に差し込み、同様に第２底板１２の第２底板係止部１２ａを第１底板１１及び第１下部サイドフラップ３ｂの内側に差し込む。これにより、略平坦な底面１５が形成され、しかも第１底板係止部１１ａと第２底板係止部１２ａとが係合し合うので、底面１５を開封跡を残すことなく、開けることが不可能になる。なお、底面１５が形成された状態では、折罫４５，４６は折り戻されている。
このようにして、箱Ａが半完成して、箱Ａ内に食品や化粧品等の物品を収容することが可能となる。
【００１５】
なお、底面１５を上述したような構成としたのは、開封跡を残すことなく開けることを不可能とするとともに、箱Ａ内に食品や化粧品等の物品を収容する前には、箱Ａを潰して板状にすることができ、運搬、収納等に有利となるからである。すなわち、箱Ａの組立作業と、箱Ａ内にへの物品の収容作業とを異なる場所或いは時期に行う場合が少なくないので、箱Ａを半完成状態で潰して体積を小さくすることができるようにしたのである。具体的には、折罫４５，４６を再度、谷折りすることにより、第１底板１１と第１下部サイドフラップ３ｂ及び糊付片１３とが重なり合い、また第２底板１２と第２下部サイドフラップ４ｂ及び糊付片１４とが重なり合い、箱Ａが板状に潰れる。つまり、正面板１の裏面の一部及び第２側面板４の裏面が背面板２の裏面と密着し、背面板２の裏面の一部及び第１側面板３の裏面が正面板１の裏面と密着する。
【００１６】
次に、箱Ａ内に食品や化粧品等の物品を収容した後の箱Ａの組立について説明する。
まず、吊下補強板１０を折罫４０で山折りして、箱Ａの内側に入れる。
更に、第１上部サイドフラップ３ａ，第２上部サイドフラップ４ａをそれぞれ折罫３４，３６で山折りし、第１上部サイドフラップ３ａと第２上部サイドフラップ４ａの先端部分が重なる。
次に、差込片７を折罫３７で山折りする。そして、第１逆止片８、第２逆止片９をそれぞれ折罫３８，３９で山折して、第１逆止片８、第２逆止片９のそれぞれの裏面と差込片７の裏面とを密着させる。そして、その状態で、差込片７、第１逆止片８、第２逆止片９を第１上部サイドフラップ３ａ及び第２上部サイドフラップ４ａと吊下補強板１０との間に形成される隙間から、箱Ａの内側に挿し込む。すると、第１逆止片８及び第２逆止片９は、箱Ａの材料自体の回復力により折り戻され、第１逆止片８及び第２逆止片９の端部８ａ，９ａがそれぞれ第１上部サイドフラップ３ａ、第２上部サイドフラップ４ａの裏面における折罫３４，３６と係合するようになる。
これにより、箱Ａの組立が完成し、図１に示す箱Ａとなる。
そして、蓋板６を持ち上げて箱Ａ内から食品や化粧品等の物品を取り出そうとしても、第１逆止片８及び第２逆止片９がそれぞれ第１上部サイドフラップ３ａ、第２上部サイドフラップ４ａの裏面と係合するので、開封跡を残すことなく蓋板６に連接する差込片７を箱Ａ内から抜き出すこと不可能となる。
また、吊下補強板１０が箱Ａの材料自体の回復力により折り戻され、吊下補強板１０と対向する差込片７を箱Ａ内側に向けて押し付けるので、更に、差込片７を箱Ａ内から抜き出すことが困難となる。
【００１７】
以上説明したように、本発明の箱Ａによれば、食品や化粧品等の物品を箱Ａ内に収容した後に蓋板６を容易に閉じることができ、しかも、蓋板６を及び底面１５を開封跡を残すことなく開けることが不可能となる。これにより、箱Ａに収容した物品を故意に抜き出すことが困難となり、万引き、無断使用、異物の混入等の不正を未然に防止することができる。
【００１８】
続いて、蓋板６を空けて、箱Ａ内から食品や化粧品等の物品を取り出す場合の箱Ａの作用について説明する。
まず、蓋板６を把持するために、蓋板６と第１上部サイドフラップ３ａ及び／又は第２上部サイドフラップ４ａとの間に指等を差し込む。そして、蓋板６を持ち上げる。すると、上述したように、第１逆止片８及び第２逆止片９がそれぞれ第１上部サイドフラップ３ａ、第２上部サイドフラップ４ａの裏面と係合するので、簡単には、蓋板６に連接する差込片７を箱Ａ内から抜き出すことできない。
そして、更に、蓋板６を持ち上げて、蓋板６を開けると、第１逆止片８及び第２逆止片９の端部８ａ，９ａがそれぞれ第１上部サイドフラップ３ａ、第２上部サイドフラップ４ａの裏面における折罫３４，３６を押し上げるので、折罫３４，３６に形成した切線３４ａ，３６ａが破断してしまう。
【００１９】
このように、蓋板６を空けて箱Ａ内から食品や化粧品等の物品を取り出すと、第１逆止片８及び第２逆止片９により、折罫３４，３６の切線３４ａ，３６ａが破断して、明確な開封跡が残る。したがって、例えば、収容した食品等に毒物等の異物が混入された場合であっても、箱Ａに残される開封跡により、収容した食品等を不正に抜き出したことが確認できるので、未然に、毒物等が混入された食品を食べてしまう危険性を回避することができる。
なお、底面１５及び箱Ａ本体側面は、糊付けしてあるので、底面１５及び箱Ａ本体側面から物品を取り出すと、糊付片５、糊付片１３、糊付片１４に明確な開封跡が残る。
【００２０】
なお、上述した実施形態では、底面１５を第１底板１１，第２底板１２等で構成することにより、開封跡を残すことなく開けることを不可能とするとともに、箱Ａを板状に潰すことを可能にしたが、例えば、図４に示すように、第１底板１１，第２底板１２に替えて、底板１７と底板１７に連接する糊付片１８を設けて、糊付片１８を正面板１の裏面に糊付けする構造としてもよい。
また、箱Ａを展示等するために設けられる吊下片２ａ及び吊下補強板１０は、必ずしも必要でない。すなわち、箱Ａを吊り下げる必要がない場合には、吊下片２ａ及び吊下補強板１０を省いてもよい。
【００２１】
次に、本発明の改ざん防止用箱の第２実施形態について図を参照して説明する。
図５は本発明にかかる箱Ｂの展開図である。なお、第１実施形態の箱Ａと同一の構成要素については、同一の符号を付して、説明を省略する。
箱（改ざん防止用箱）Ｂは、箱Ｂの上面と底面を略同一の構造とすることにより、上面（蓋板６）及び底面（底板２６）を容易に閉じることができるが、その一方で開封跡を残すことなく開けることが不可能とするものである。
箱Ｂは、図５に示すように、第１側面板３、正面板１、第２側面板４、背面板２の下縁にはそれぞれ折罫５４，５５，５６（同、山折り）を介して第１下部サイドフラップ２３ｂ、底板２６、第２下部サイドフラップ２４ｂが連接する。なお、折罫５４，５６の少なくとも一部には、切線５４ａ，５６ａが形成される。
更に、底板２６は、折罫５７（同、山折り）を介して差込片２７が連接され、更に差込片２７の左右両側には、折罫５８，５９（同、山折り）を介して第３逆止片２８、第４逆止片２９が連接される。
【００２２】
箱Ｂの組立方法は、箱Ａの組立方向を適用すればよいので説明を省略する。また、箱Ｂを組み立てた形状は、箱Ａと同一であるため斜視図を省略する。
したがって、以上の構成により、箱Ｂは、蓋板６及び底板２６を容易に閉じることができるが、その一方で開封跡を残すことなく蓋板６又は底板２６を開けることが不可能となる。
すなわち、第１逆止片８、第２逆止片９、第３逆止片２８、第４逆止片２９がそれぞれ第１上部サイドフラップ３ａ、第２上部サイドフラップ４ａ、第１下部サイドフラップ２３ｂ、第２下部サイドフラップ２４ｂの裏面と係合するので、簡単には、蓋板６或いは底板２６に連接する差込片７、差込片２７を箱Ａ内から抜き出すことできない。また、蓋板６或いは底板２６を空けて箱Ａ内から食品や化粧品等の物品を取り出すと、第１逆止片８、第２逆止片９、第３逆止片２８、第４逆止片２９により、折罫３４，３６，５４，５６の切線３４ａ，３６ａ，５４ａ，５６ａが破断して、明確な開封跡が残る。
これにより、箱Ａに収容した物品を故意に抜き出すことが困難となり、万引き、無断使用、異物の混入等の不正を未然に防止することができる。また、箱Ａに残される開封跡により、収容した食品等を不正に抜き出したことが確認できるので、不正使用や異物の混入の可能性を予想することができる。
【図面の簡単な説明】
【００２３】
【図１】箱Ａの斜視図
【図２】箱Ａの底面図
【図３】箱Ａの展開図
【図４】箱Ａの底面の変形例を示す展開図
【図５】箱Ｂの展開図
【符号の説明】
【００２４】
Ａ，Ｂ  箱（改ざん防止用箱）
１  正面板
２  背面板
２ａ  吊下片
３  第１側面板
３ａ  第１上部サイドフラップ
４  第２側面板
４ａ  第２上部サイドフラップ
６  蓋板
７  差込片
８  第１逆止片
９  第２逆止片
１０  吊下補強板
２３ｂ  第１下部サイドフラップ
２４ｂ  第２下部サイドフラップ
２６  底板
２７  差込片
２８  第３逆止片
２９  第４逆止片
３４，３６，５４，５６  折罫
３４ａ，３６ａ，５４ａ，５６ａ  切線
【図１】
2005231706.tif 000003
【図２】
2005231706.tif 000004
【図３】
2005231706.tif 000005
【図４】
2005231706.tif 000006
【図５】
2005231706.tif 000007